(57)【要約】【課題】密封性に優れ、袋本体内に液体を収容した場合でも液体の漏れを充分に抑制できる嵌合具、及び前記嵌合具を用いた嵌合具付き袋体を提供する。【解決手段】帯状の第１基材１６に第１嵌合部１８が設けられた第１嵌合部材１２と、帯状の第２基材２６に第１嵌合部１８と着脱自在に嵌合する第２嵌合部２８が設けられた第２嵌合部材１４と、を備え、第１嵌合部１８と第２嵌合部２８とが嵌合した状態で、第３アーム部３０及び第４アーム部３２が第１アーム部２０と第２アーム部２２の間に嵌まり、突条部２４が第３アーム部３０と第４アーム部３２の間に嵌まり、頭部２４ｂの両側が第３アーム部３０及び第４アーム部３２の突起部３４，３６に引っ掛けられ、第３アーム部３０及び第４アーム部３２が頭部２４ｂによって短手方向の外側に押し広げられる、嵌合具１０。【選択図】図２
2020081539.tif 000002
【特許請求の範囲】
【請求項１】
帯状の第１基材に第１嵌合部が設けられた第１嵌合部材と、帯状の第２基材に前記第１嵌合部と着脱自在に嵌合する第２嵌合部が設けられた第２嵌合部材と、を備え、
前記第１嵌合部は、前記第１基材の短手方向に並んで長手方向に突条に設けられた第１アーム部及び第２アーム部と、前記第１アーム部と前記第２アーム部の間に長手方向に設けられた突条部と、を備え、
前記第１アーム部は、先端部分が前記第２アーム部側に折り返された第１返し部を備え、
前記第２アーム部は、先端部分が前記第１アーム部側に折り返された第２返し部を備え、
前記突条部は、前記第１基材から立ち上がる幹部と、前記幹部の先端部に設けられ、短手方向の両側に突き出た前記幹部よりも大きい頭部と、を備え、
前記第２嵌合部は、前記第２基材の短手方向に並んで長手方向に突条に設けられた第３アーム部及び第４アーム部を備え、
前記第３アーム部は、先端部分が前記第４アーム部と反対側に折り返され、前記第１返し部に引っ掛けられる第３返し部と、前記第４アーム部側の面から突き出る突起部とを備え、
前記第４アーム部は、先端部分が前記第３アーム部と反対側に折り返され、前記第２返し部に引っ掛けられる第４返し部と、前記第３アーム部側の面から突き出る突起部とを備え、
前記第１嵌合部と前記第２嵌合部とが嵌合した状態で、前記第３アーム部及び前記第４アーム部が前記第１アーム部と前記第２アーム部の間に嵌まり、前記突条部が前記第３アーム部と前記第４アーム部の間に嵌まり、前記頭部の両側が前記第３アーム部及び前記第４アーム部の前記突起部に引っ掛けられ、前記第３アーム部及び前記第４アーム部が前記頭部によって短手方向の外側に押し広げられる、嵌合具。
【請求項２】
前記第３アーム部の第３返し部の前記第２基材側の基端と短手方向の先端との短手方向における距離ｄ１（ｍｍ）と、前記第３アーム部の前記突起部の前記第２基材側の基端と短手方向の先端との短手方向における距離ｄ２（ｍｍ）との比ｄ１／ｄ２が２〜２２である、請求項１に記載の嵌合具。
【請求項３】
前記第４アーム部の第４返し部の前記第２基材側の基端と短手方向の先端との短手方向における距離ｄ３（ｍｍ）と、前記第４アーム部の前記突起部の前記第２基材側の基端と短手方向の先端との短手方向における距離ｄ４（ｍｍ）との比ｄ３／ｄ４が２〜２２である、請求項１又は２に記載の嵌合具。
【請求項４】
嵌合状態において、前記第１返し部と前記第３返し部との間、及び前記第２返し部と前記第４返し部との間の少なくとも一方に空隙部が形成されている、請求項１〜３のいずれか一項に記載の嵌合具。
【請求項５】
内容物を収容する袋本体と、前記袋本体の内面の開口部近傍に取り付けられた請求項１〜４のいずれか一項に記載の嵌合具と、を具備し、
前記第２アーム部及び前記第４アーム部が開口部側となるように前記嵌合具が前記袋本体に取り付けられている、嵌合具付き袋体。
【発明の詳細な説明】
【技術分野】
【０００１】
本発明は、嵌合具及び嵌合具付き袋体に関する。
【背景技術】
【０００２】
食品、薬品、雑貨等の様々な分野において、袋本体の開口部近傍の内面に、開口部を開閉自在に封じる嵌合具が取り付けられた嵌合具付き袋体が広く用いられている。嵌合具としては、一対の帯状の基材のそれぞれの対向面に、互いに着脱自在に嵌合する第１嵌合部と第２嵌合部が、それら基材の長手方向に沿ってそれぞれ設けられたものが挙げられる。
【０００３】
例えば、図６に例示した嵌合具１００を備えた嵌合具付き袋体が知られている（例えば、特許文献１）。嵌合具１００は、帯状の第１基材１１１の対向面１１１ａに長手方向に突条の雄側嵌合部１１３が設けられた第１嵌合部材１０１と、帯状の第２基材１１２の対向面１１２ａに長手方向に突条の雌側嵌合部１１４が設けられた第２嵌合部材１０２とを備えている。
【０００４】
雄側嵌合部１１３は、第１基材１１１の対向面１１１ａから立ち上がる幹部１１３ａと、幹部１１３ａの先端側に設けられた頭部１１３ｂとを備えている。雌側嵌合部１１４は、第２基材１１２の対向面１１２ａから立ち上がる一対のアーム部１１４ａ，１１４ｂを備え、それら一対のアーム部１１４ａ，１１４ｂによって凹部１１４ｃが形成されている。雄側嵌合部１１３と雌側嵌合部１１４とは、雄側嵌合部１１３の頭部１１３ｂを雌側嵌合部１１４の凹部１１４ｃに嵌め込むことで着脱自在に嵌合するようになっている。嵌合具１００を袋本体の開口部の近傍に開口部に沿って取り付けることで、袋体の開口部を開閉自在に閉じることができる。
【先行技術文献】
【特許文献】
【０００５】
【特許文献１】特開２００３−１６０１４７号公報
【発明の概要】
【発明が解決しようとする課題】
【０００６】
しかし、特許文献１のような従来の嵌合具では、使用時や保存時において嵌合状態の雄側嵌合部と雌側嵌合部に力が加わった場合等に、雄側嵌合部と雌側嵌合部の間にわずかな隙間が生じやすい。そのため、充分な密封性が得られにくく、袋本体内に液体を収容した場合には液体が外部に漏れ出ることがある。
【０００７】
本発明は、袋本体に取り付けて嵌合した状態の密封性に優れ、袋本体内に液体を収容した場合でも液体の漏れを充分に抑制できる嵌合具、及び前記嵌合具を用いた嵌合具付き袋体を提供することを目的とする。
【課題を解決するための手段】
【０００８】
本発明は、以下の構成を有する。
［１］帯状の第１基材に第１嵌合部が設けられた第１嵌合部材と、帯状の第２基材に前記第１嵌合部と着脱自在に嵌合する第２嵌合部が設けられた第２嵌合部材と、を備え、
前記第１嵌合部は、前記第１基材の短手方向に並んで長手方向に突条に設けられた第１アーム部及び第２アーム部と、前記第１アーム部と前記第２アーム部の間に長手方向に設けられた突条部と、を備え、
前記第１アーム部は、先端部分が前記第２アーム部側に折り返された第１返し部を備え、
前記第２アーム部は、先端部分が前記第１アーム部側に折り返された第２返し部を備え、
前記突条部は、前記第１基材から立ち上がる幹部と、前記幹部の先端部に設けられ、短手方向の両側に突き出た前記幹部よりも大きい頭部と、を備え、
前記第２嵌合部は、前記第２基材の短手方向に並んで長手方向に突条に設けられた第３アーム部及び第４アーム部を備え、
前記第３アーム部は、先端部分が前記第４アーム部と反対側に折り返され、前記第１返し部に引っ掛けられる第３返し部と、前記第４アーム部側の面から突き出る突起部とを備え、
前記第４アーム部は、先端部分が前記第３アーム部と反対側に折り返され、前記第２返し部に引っ掛けられる第４返し部と、前記第３アーム部側の面から突き出る突起部とを備え、
前記第１嵌合部と前記第２嵌合部とが嵌合した状態で、前記第３アーム部及び前記第４アーム部が前記第１アーム部と前記第２アーム部の間に嵌まり、前記突条部が前記第３アーム部と前記第４アーム部の間に嵌まり、前記頭部の両側が前記第３アーム部及び前記第４アーム部の前記突起部に引っ掛けられ、前記第３アーム部及び前記第４アーム部が前記頭部によって短手方向の外側に押し広げられる、嵌合具。
［２］前記第３アーム部の第３返し部の前記第２基材側の基端と短手方向の先端との短手方向における距離ｄ１（ｍｍ）と、前記第３アーム部の前記突起部の前記第２基材側の基端と短手方向の先端との短手方向における距離ｄ２（ｍｍ）との比ｄ１／ｄ２が２〜２２である、［１］に記載の嵌合具。
［３］前記第４アーム部の第４返し部の前記第２基材側の基端と短手方向の先端との短手方向における距離ｄ３（ｍｍ）と、前記第４アーム部の前記突起部の前記第２基材側の基端と短手方向の先端との短手方向における距離ｄ４（ｍｍ）との比ｄ３／ｄ４が２〜２２である、［１］又は［２］に記載の嵌合具。
［４］嵌合状態において、前記第１返し部と前記第３返し部との間、及び前記第２返し部と前記第４返し部との間の少なくとも一方に空隙部が形成されている、［１］〜［３］のいずれかに記載の嵌合具。
［５］内容物を収容する袋本体と、前記袋本体の内面の開口部近傍に取り付けられた［１］〜［４］のいずれかに記載の嵌合具と、を具備し、
前記第２アーム部及び前記第４アーム部が開口部側となるように前記嵌合具が前記袋本体に取り付けられている、嵌合具付き袋体。
【発明の効果】
【０００９】
本発明の嵌合具は、袋本体に取り付けて嵌合した状態の密封性に優れ、袋本体内に液体を収容した場合でも液体の漏れを充分に抑制できる。本発明の嵌合具付き袋体は、密封性に優れ、液体を収容した場合でも液体の漏れを充分に抑制できる。
【図面の簡単な説明】
【００１０】
【図１】本発明の嵌合具の一例を示した斜視図である。
【図２】図１の嵌合具のＩ−Ｉ断面図である。
【図３】図２の嵌合具の第２嵌合部材のみを示した断面図である。
【図４】本発明の嵌合具付き袋体の一例を示した正面図である。
【図５】図４の嵌合具付き袋体を開封した様子を示す斜視図である。
【図６】従来の嵌合具の一例を示した断面図である。
【発明を実施するための形態】
【００１１】
［嵌合具］
以下、本発明の嵌合具の一例について図面を参照して説明する。なお、以下の説明において例示される図の寸法等は一例であって、本発明はそれらに必ずしも限定されるものではなく、その要旨を変更しない範囲で適宜変更して実施することが可能である。
【００１２】
図１は、嵌合具１０の斜視図である。図２は、嵌合具１０を短手方向に沿って切断した断面図である。図３は、嵌合具１０が備える第２嵌合部材１４を短手方向に沿って切断した断面図である。
本実施形態例の嵌合具１０は、図１及び図２に示すように、一対の帯状の第１嵌合部材１２と第２嵌合部材１４とを備える。以下の嵌合具の説明においては、ＸＹＺ直交座標系を設定し、このＸＹＺ直交座標系を参照しつつ各部分の位置関係について説明する。
【００１３】
第１嵌合部材１２は、帯状の第１基材１６と、第１基材１６の対向面１６ａに長手方向（Ｘ方向）に沿って設けられた第１嵌合部１８とを備える。
第１嵌合部１８は、それぞれ長手方向（Ｘ方向）に沿って突条に設けられた第１アーム部２０、第２アーム部２２及び突条部２４を備えている。第１アーム部２０、第２アーム部２２及び突条部２４は、短手方向（Ｙ方向）において、第１基材１６の第１の側縁１６ｂ側からこの順に並んで設けられている。すなわち、突条部２４は、短手方向（Ｙ方向）において第１アーム部２０と第２アーム部２２の間に設けられている。
【００１４】
第１アーム部２０は、先端部分が第２アーム部２２側に折り返されている第１返し部２０ａを備えている。第２アーム部２２は、先端部分が第１アーム部２０側に折り返されている第２返し部２２ａを備えている。
【００１５】
突条部２４は、第１基材１６の対向面１６ａから立ち上がる幹部２４ａと、幹部２４ａの先端部に設けられ、幹部２４ａよりも大きい頭部２４ｂとを備えている。突条部２４の頭部２４ｂは、幹部２４ａの短手方向（Ｙ方向）の両側に突き出ている。
【００１６】
第１基材１６の厚さは、０．１〜０．４ｍｍが好ましく、０．１２〜０．３ｍｍがより好ましい。第１基材１６の厚さが前記範囲の下限値以上であれば、嵌合具を袋体に熱溶着したときに、充分なシール強度が得られる。第１基材１６の厚さが前記範囲の上限値以下であれば、充分な柔軟性が得られる。
【００１７】
第１基材１６の幅は、２〜６０ｍｍが好ましく、３〜４０ｍｍがより好ましい。第１基材１６の幅が前記範囲の下限値以上であれば、嵌合具を袋体に熱溶着したときに、充分なシール強度が得られる。第１基材１６の幅が前記範囲の上限値以下であれば、取り扱いが容易であり、流通及び保管時に嵌合具の変形が生じにくい。
【００１８】
第２嵌合部材１４は、帯状の第２基材２６と、第２基材２６の対向面２６ａに長手方向（Ｘ方向）に沿って設けられた第２嵌合部２８とを備えている。
第２嵌合部２８は、それぞれ長手方向（Ｘ方向）に沿って突条に設けられた第３アーム部３０及び第４アーム部３２を備えている。第３アーム部３０及び第４アーム部３２は、短手方向（Ｙ方向）において、第２基材２６の第１の側縁２６ｂ側からこの順に並んで設けられている。
【００１９】
第３アーム部３０は、先端部分が第４アーム部３２と反対側に折り返され、第１アーム部２０の第１返し部２０ａに引っ掛けられる第３返し部３０ａを備えている。
第３アーム部３０の第４アーム部３２側の面には、第４アーム部３２側に突き出る突起部３４が設けられている。突起部３４は、第３アーム部３０に長手方向（Ｘ方向）に沿って突条に設けられている。突条の突起部３４は、長手方向に連続的に設けられていてもよく、破線状等の形態で断続的に設けられていてもよい。突起部３４の長さ方向に垂直な断面形状は、特に限定されず、半円状、矩形状、三角形状等が挙げられる。
【００２０】
第４アーム部３２は、先端部分が第３アーム部３０と反対側に折り返され、第２アーム部２２の第２返し部２２ａに引っ掛けられる第４返し部３２ａを備えている。
第４アーム部３２の第３アーム部３０側の面には、第３アーム部３０側に突き出る突起部３６が設けられている。突起部３６は、第４アーム部３２に長手方向（Ｘ方向）に沿って突条に設けられている。突条の突起部３６は、長手方向に連続的に設けられていてもよく、破線状等の形態で断続的に設けられていてもよい。突起部３６の長さ方向に垂直な断面形状は、特に限定されず、半円状、矩形状、三角形状等が挙げられる。
【００２１】
第１嵌合部１８と第２嵌合部２８とは、着脱自在に嵌合する。内容物を収容する袋本体の内面の開口部近傍に、嵌合具１０を開口部に沿うように取り付け、第１嵌合部１８と第２嵌合部２８を嵌合させたり、嵌合構造を解除させたりすることで、袋本体の開口部を開閉自在に閉じることができる。嵌合具１０は、袋本体に取り付けられる際、第１基材１６の第１の側縁１６ｂ及び第２基材２６の第１の側縁２６ｂが袋本体に形成される開口部側、第１基材１６の第２の側縁１６ｃ及び第２基材２６の第２の側縁２６ｃが袋本体の内容物側とされる。
【００２２】
第１嵌合部１８と第２嵌合部２８とを嵌合させた状態においては、第３アーム部３０及び第４アーム部３２は第１アーム部２０と第２アーム部２２の間に嵌まり込む。また、突条部２４が第３アーム部３０と第４アーム部４０の間に嵌まり込み、突条部２４の頭部２４ｂの両側が第３アーム部３０の突起部３４と第４アーム部３２の突起部３６にそれぞれ引っ掛かった状態となる。この状態では、第１嵌合部１８の突条部２４の頭部２４ｂが第２嵌合部２８の第３アーム部３０と第４アーム部３２に密着し、第３アーム部３０及び第４アーム部３２が突条部２４の頭部２４ｂによって短手方向（Ｙ方向）の外側に押し広げられている。
【００２３】
突条部２４の頭部２４ｂが第２嵌合部２８の第３アーム部３０と第４アーム部３２に密着し、さらに突条部２４の頭部２４ｂが第３アーム部３０及び第４アーム部３２の突起部３４，３６に引っ掛けられてその密着状態が安定して保持されることで、優れた密封性が得られる。そのため、袋体内に液体を収容した場合でも液体の漏れを充分に抑制できる。
また、第３アーム部３０及び第４アーム部３２が突条部２４の頭部２４ｂによって押し広げられていることで、開封を意図していないときに第１基材１６と第２基材２６とを引き離す力が働いても、第１アーム部２０の第１返し部２０ａと第３アーム部３０の第３返し部３０ａとが充分に引っ掛かり、また第２アーム部２２の第２返し部２２ａと第４アーム部３２の第４返し部３２ａとが充分に引っ掛かるため、充分な嵌合強度が確保される。
【００２４】
また、第１嵌合部１８と第２嵌合部２８の嵌合状態においては、第１返し部２０ａと第３返し部３０ａとの間に空隙部２１ａが形成され、第２返し部２２ａと第４返し部３２ａとの間に空隙部２１ｂが形成されている。本発明の嵌合具では、嵌合状態において、第１返し部と第３返し部との間、及び第２返し部と第４返し部との間の少なくとも一方に空隙部が形成されていることが好ましい。これにより、内容物側から開く場合の嵌合強度を高めることができ、また嵌合する際に各アーム部が変形する余地があるため、第１嵌合部と第２嵌合部が嵌合しやすくなる。
【００２５】
第２基材２６の厚さの好ましい態様は、第１基材１６の厚さの好ましい態様と同じである。第１基材１６と第２基材２６の厚さは同じであってもよく、異なっていてもよい。
第２基材２６の幅の好ましい態様は、第１基材１６の幅の好ましい態様と同じである。第１基材１６と第２基材２６の幅は同じであってもよく、異なっていてもよい。
【００２６】
図３に示すように、第３アーム部３０の第３返し部３０ａの第２基材２６側の基端と短手方向の先端との短手方向における距離をｄ１（ｍｍ）とする。第３アーム部３０の突起部３４の第２基材２６側の基端と短手方向の先端との短手方向における距離をｄ２（ｍｍ）とする。第４アーム部３２の第４返し部３２ａの第２基材２６側の基端と短手方向の先端との短手方向における距離をｄ３（ｍｍ）とする。第４アーム部３２の突起部３６の第２基材２６側の基端と短手方向の先端との短手方向における距離をｄ４（ｍｍ）とする。
【００２７】
比ｄ１／ｄ２は、２〜２２が好ましく、３〜２０がより好ましく、５〜１８がさらに好ましい。比ｄ１／ｄ２が前記範囲の下限値以上であれば、程よい嵌合性が得られる。比ｄ１／ｄ２が前記範囲の上限値以下であれば、程よい密封性が得られる。
【００２８】
距離ｄ１は、０．１０〜０．２２ｍｍが好ましく、０．１２〜０．２０ｍｍがより好ましく、０．１５〜０．１８ｍｍがさらに好ましい。距離ｄ１が前記範囲の下限値以上であれば、程よい嵌合強度が得られる。距離ｄ１が前記範囲の上限値以下であれば、再嵌合した時に容易にかみ合わせできる。
【００２９】
距離ｄ２は、０．０１〜０．０５ｍｍが好ましく、０．０１〜０．０４ｍｍがより好ましく、０．０１〜０．０３ｍｍがさらに好ましい。距離ｄ２が前記範囲の下限値以上であれば、程よい密封性が得られる。距離ｄ２が前記範囲の上限値以下であれば、再嵌合した時に容易にかみ合わせできる。
【００３０】
比ｄ３／ｄ４は、２〜２２が好ましく、３〜２０がより好ましく、５〜１８がさらに好ましい。比ｄ３／ｄ４が前記範囲の下限値以上であれば、程よい嵌合性が得られる。比ｄ３／ｄ４が前記範囲の上限値以下であれば、程よい密封性が得られる。
【００３１】
距離ｄ３は、０．１０〜０．２２ｍｍが好ましく、０．１２〜０．２０ｍｍがより好ましく、０．１５〜０．１８ｍｍがさらに好ましい。距離ｄ３が前記範囲の下限値以上であれば、程よい嵌合強度が得られる。距離ｄ１が前記範囲の上限値以下であれば、再嵌合した時に容易にかみ合わせできる。
【００３２】
距離ｄ４は、０．０１〜０．０５ｍｍが好ましく、０．０１〜０．０４ｍｍがより好ましく、０．０１〜０．０３ｍｍがさらに好ましい。距離ｄ４が前記範囲の下限値以上であれば、程よい密封性が得られる。距離ｄ２が前記範囲の上限値以下であれば、再嵌合した時に容易にかみ合わせできる。
【００３３】
第３アーム部３０の第３返し部３０ａの第２基材２６側の面３０ｂと第２基材２６の対向面２６ａと平行な面とのなす角度θ１は、−３０〜６０°が好ましく、０〜３０°がより好ましい。角度θ１が前記範囲の下限値以上であれば、程よいかみ合わせが得られる。角度θ１が前記範囲の上限値以下であれば、開口が容易になる。
【００３４】
第１アーム部２０の第１返し部２０ａの第１基材１６側の面と第１基材１６の対向面１６ａと平行な面とのなす角度は、角度θ１に応じて同等の角度となるように調節する。これらの角度を調節することにより、嵌合具１０を第２基材２６の第１の側縁２６ｂ側から開くときの嵌合強度を調節することができる。
嵌合具１０を第２基材２６の第１の側縁２６ｂ側、すなわち開口部側から開くときの嵌合強度は、３〜３５Ｎが好ましく、５〜３０Ｎがより好ましい。
【００３５】
第４アーム部３２の第４返し部３２ａの第２基材２６側の面３２ｂと第２基材２６の対向面２６ａと平行な面とのなす角度θ２は、０〜６０°が好ましく、５０〜８０°がより好ましい。角度θ２が前記範囲の下限値以上であれば、嵌合する相手側の爪とのかみ合わせが良い。角度θ２が前記範囲の上限値以下であれば、程よい嵌合性が得られる。
【００３６】
第２アーム部２２の第２返し部２２ａの第１基材１６側の面と第１基材１６の対向面１６ａと平行な面とのなす角度は、角度θ２に応じて同等の角度となるように調節する。これらの角度を調節することにより、嵌合具１０を第２基材２６の第２の側縁２６ｃ側から開くときの嵌合強度を調節することができる。
嵌合具１０を第２基材２６の第２の側縁２６ｃ側、すなわち内容物側から開くときの嵌合強度は、３０〜６０Ｎが好ましく、４０〜５０Ｎがより好ましい。
【００３７】
なお、嵌合強度は、以下の方法で測定される。袋体の嵌合具が取り付けられた部分から、第１嵌合部及び第２嵌合部の長さ方向に長さ５０ｍｍ分の試料を切り出し、開口部側又は内容物側の基材フィルムを引張試験機のチャックに挟み、引張速度５０ｍｍ／分で引っ張って測定される強度の最大値を嵌合強度とする。
【００３８】
第１基材１６の材質としては、特に限定されず、公知の嵌合具の基材に使用されるものを使用できる。第１基材１６としては、積層フィルムからなる基材が好ましい。積層フィルムとしては、例えば、第２基材と対向する対向面側から、耐熱層とヒートシール層が積層されたフィルムが挙げられる。また、第１基材１６は、耐熱層とヒートシール層の間にバリア層を有していてもよい。
【００３９】
耐熱層の材料としては、二軸延伸ナイロン、二軸延伸ポリプロピレン等が挙げられる。
ヒートシール層の材料としては、直鎖状低密度ポリエチレン、無延伸ポリプロピレン、エチレン−酢酸ビニル共重合体、アイオノマー等が挙げられる。
バリア層の材料としては、ポリビニルアルコール等が挙げられる。
【００４０】
第１基材１６は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
【００４１】
第１基材１６は、積層フィルムからなる基材には限定されず、単層フィルムからなる基材であってもよい。
第２基材２６としては、特に限定されず、例えば第１基材１６と同じ基材が挙げられ、好ましい態様も同じである。
【００４２】
第１嵌合部１８及び第２嵌合部２８の材料としては、特に限定されず、例えば、第１基材１６で挙げたものと同じ材料が挙げられる。
【００４３】
（製造方法）
嵌合具１０の製造方法としては、特に限定されず、公知の方法を採用できる。例えば、樹脂材料を溶融混練し、押出成形によって第１嵌合部材１２及び第２嵌合部材１４を製造する方法等が挙げられる。
混練方法としては、原料をヘンシェルミキサ、リボンミキサ等で乾式混合し、単軸または二軸押出機、バンバリーミキサ、ニーダ、ミキシングロール等の溶融混練機に供給して溶融混練する方法が挙げられる。
【００４４】
［嵌合具付き袋体］
本発明の嵌合具付き袋体は、内容物を収容する袋本体と、前記袋本体の内面の開口部近傍に取り付けられた本発明の嵌合具とを具備する嵌合具付き袋体である。本発明の嵌合具付き袋体は、本発明の嵌合具を備える以外は公知の態様を採用できる。
【００４５】
以下、本発明の嵌合具付き袋体の一例として、前述した嵌合具１０を備えた嵌合具付き袋体１（以下、「袋体１」という。）について説明する。
本実施形態の袋体１は、図４及び図５に示すように、内容物を収容する密封された状態の袋本体５０と、袋本体５０内の上部の内面に、横方向に沿って取り付けられた嵌合具１０とを具備している。
【００４６】
袋本体５０は、第１のフィルム材５２と第２のフィルム材５４が重ね合わされ、それらの周縁部５６が全てヒートシールされることで形成されており、密封された状態になっている。また、袋本体５０における嵌合具１０よりも上部側には、横方向に沿って切断補助線５８が設けられており、その端部にノッチ６０が形成されている。
【００４７】
嵌合具１０は、嵌合具１０の第１基材１６の外側面１６ｄが袋本体５０の第１のフィルム材５２に溶着され、嵌合具１０の第２基材２６の外側面２６ｄが袋本体５０の第２のフィルム材５４に溶着されている。また、嵌合具１０は、第１基材１６の第１の側縁１６ｂ及び第２基材２６の第１の側縁２６ｂが開口部側、第１基材１６の第２の側縁１６ｃ及び第２基材２６の第２の側縁２６ｃが内容物側となるように取り付けられている。
【００４８】
袋本体５０の形状は、本実施形態では矩形である。ただし、袋本体５０の形状は矩形には限定されない。また、袋本体５０の大きさも特に限定されず、袋本体５０に収容する内容物によって適宜選定すればよい。
【００４９】
袋本体５０を形成する第１のフィルム材５２と第２のフィルム材５４は、ヒートシールにより嵌合具１０を溶着できるものであればよく、内面側からシーラント層と基材層を少なくとも有する積層フィルムが好ましい。
基材層としては、二軸延伸ナイロン、二軸延伸ポリプロピレン等が挙げられる。
シーラント層としては、直鎖状低密度ポリエチレン、無延伸ポリプロピレン、エチレン−酢酸ビニル共重合体、アイオノマー等が挙げられる。
前記積層フィルムには、バリア層等の機能層を設けてもよい。
また、第１のフィルム材５２と第２のフィルム材５４は、シーラント層のみからなる単層フィルムであってもよい。
【００５０】
切断補助線５８は、袋本体５０における嵌合具１０よりも上部を切断して開封するのを補助する線である。切断補助線５８としては、例えば、袋本体５０の第１のフィルム材５２及び第２のフィルム材５４における切断補助線５８の部分をそれ以外の部分に比べて薄肉化した弱化線、ミシン目からなる弱化線、列状に形成された細孔からなる弱化線が挙げられる。また、切断補助線５８は、前記弱化線には限定されず、ハサミやカッター等で切断する位置を示す、印刷等で形成した線であってもよい。
切断補助線５８は、本実施形態では袋本体５０の横方向に沿って形成されているが、この形態には限定されず、袋本体５０の幅方向に対して傾斜して設けられていてもよい。
【００５１】
ノッチ６０の形状は、この例では三角形状であるが、特に限定されず、半円形状、直線状等であってもよい。
袋体１は、嵌合具１０を用いる以外は公知の方法で製造できる。
【００５２】
袋体１の開封時には、ノッチ６０から切断補助線５８に沿って袋本体５０の上部を切断して除去することで、図５に示すように、上部に開口部６２を形成して開封することができる。袋体１に形成した開口部６２は、嵌合具１０の第１嵌合部１８と第２嵌合部２８を着脱することで繰り返し開閉できる。
【００５３】
袋体１では、第１嵌合部１８と第２嵌合部２８を嵌合して開口部６２を閉じた状態において、突条部２４の頭部２４ｂが第２嵌合部２８の第３アーム部３０と第４アーム部３２に密着している。さらに、突条部２４の頭部２４ｂの両側が第３アーム部３０の突起部３４と第４アーム部３２の突起部３６に引っ掛けられることで、突条部２４と第３アーム部３０及び第４アーム部３２との密着状態が安定して保持される。そのため、優れた密封性が得られ、袋本体５０内に液体を収容した場合でも液体の漏れが充分に抑制される。
【００５４】
また、第３アーム部３０及び第４アーム部３２が突条部２４の頭部２４ｂによって押し広げられている。これにより、第１アーム部２０の第１返し部２０ａと第２アーム部２２の第２返し部２２ａを第３アーム部３０の第３返し部３０ａと第４アーム部３２の第４返し部３２ａにしっかりと引っ掛けられるため、充分な嵌合強度が確保される。
【００５５】
以上説明したように、本発明においては、特定の形態の第１嵌合部と第２嵌合部を採用し、それらを嵌合した状態で第１嵌合部の突条部の頭部を第２嵌合部の第３アーム部及び第４アーム部を安定して密着させた状態で保持させる。そのため、優れた密封性が得られ、袋本体内に液体を収容した場合でも液体の漏れが充分に抑制される。
【００５６】
なお、本発明の嵌合具及び嵌合具付き袋体は、前記したものには限定されない。
例えば、袋本体は特に限定されず、嵌合具付き袋体の袋本体として知られる様々な形態の袋本体を採用でき、切断補助線を有さず、予め開口部が形成された袋本体を備える嵌合具付き袋体であってもよい。
【符号の説明】
【００５７】
１…嵌合具付き袋体、１０…嵌合具、１２…第１嵌合部材、１４…第２嵌合部材、１６…第１基材、１６ａ…対向面、１８…第１嵌合部、２０…第１アーム部、２０ａ…第１返し部、２２…第２アーム部、２２ａ…第２返し部、２４…突条部、２４ａ…幹部、２４ｂ…頭部、２６…第２基材、２６ａ…対向面、２８…第２嵌合部、３０…第３アーム部、３０ａ…第３返し部、３２…第４アーム部、３２ａ…第４返し部、３４，３６…突起部、５０…袋本体、６２…開口部。
【図１】
2020081539.tif 000003
【図２】
2020081539.tif 000004
【図３】
2020081539.tif 000005
【図４】
2020081539.tif 000006
【図５】
2020081539.tif 000007
【図６】
2020081539.tif 000008